(57)【要約】  容易にかつ効率よく窒素酸化物および硫黄酸化物を除去できる天然成分を見出し、これを利用する有害酸化物の除去剤を提供することを目的とし、テルピネン−４−オール、シトロネラール、ボルニルアセテート、カジネン、サビネン、γ−テルピネオール、δ−３−カレン、テルピノレン、γ−テルピネン、１,４−シネオールおよび１,８−シネオールよりなる群から選ばれる１種若しくは２種以上の化合物を有効成分として含有する有害酸化物除去剤および当該有害酸化物除去剤を、有害酸化物を含有する大気と接触させることを特徴とする大気中の有害酸化物の除去方法を提供する。【特許請求の範囲】
【請求項１】
テルピネン−４−オール、シトロネラール、ボルニルアセテート、カジネン、サビネン、α−テルピネオール、δ−３−カレン、テルピノレン、γ−テルピネン、１,４−シネオールおよび１,８−シネオールよりなる群から選ばれる１種若しくは２種以上の化合物を有効成分として含有する有害酸化物除去剤。
【請求項２】
ボルニルアセテート、カジネン、サビネン、α−テルピネオール、δ−３−カレン、テルピノレン、γ−テルピネン、１,４−シネオールおよび１,８−シネオールよりなる群から選ばれる１種若しくは２種以上の化合物を有効成分として含有する有害酸化物除去剤。
【請求項３】
δ−３−カレン、テルピノレン、γ−テルピネンおよび１,４−シネオールよりなる群から選ばれる１種若しくは２種以上の化合物を有効成分として含有する有害酸化物除去剤。
【請求項４】
有害酸化物が窒素酸化物または硫黄酸化物である請求項第１項ないし第３項の何れかの項記載の有害酸化物除去剤。
【請求項５】
請求項第１項ないし第４項の何れかの項記載の有害酸化物除去剤を、有害酸化物を含有する大気と接触させることを特徴とする大気中の有害酸化物の除去方法。
【請求項６】
有害酸化物除去剤と、有害酸化物を含有する大気との接触を、有害酸化物除去剤を含浸させたフィルター中に有害酸化物を含有する大気を通過させることにより行う請求項第５項記載の大気中の有害酸化物の除去方法。
【請求項７】
有害酸化物除去剤と、有害酸化物を含有する大気との接触を、有害酸化物除去剤中で有害酸化物を含有する大気をバブリングすることにより行う請求項第５項記載の大気中の有害酸化物の除去方法。
【請求項８】
有害酸化物除去剤と、有害酸化物を含有する大気との接触を、有害酸化物を含有する大気中に有害酸化物除去剤を揮散させることにより行う請求項第５項記載の大気中の有害酸化物の除去方法。
【請求項９】
有害酸化物除去剤を、霧化させた状態で揮散させる請求項第８項記載の大気中の有害酸化物の除去方法。
【請求項１０】
有害酸化物除去剤の霧化を、ポンプスプレー、エアゾール、超音波振動子、加圧液噴霧スプレーまたは加圧空気霧化噴霧装置を用いて行う請求項第９項記載の大気中の有害酸化物の除去方法。
【発明の詳細な説明】
【技術分野】
【０００１】  本発明は、有害酸化物の除去剤に関し、更に詳細には、各種の排煙、排気ガス中に含まれる窒素酸化物や硫黄酸化物を除去することのできる有害酸化物の除去剤およびこれを利用する有害酸化物の除去方法に関する。
【背景技術】
【０００２】  発電所や工場のボイラー、あるいはごみの焼却場の稼動に伴い、窒素酸化物（ＮＯｘ）や、硫黄酸化物（ＳＯｘ）を含む種々の化学物質を含む排煙が排出されていることが知られている。また、自動車排気ガスにも、特にＮＯｘ、ＳＯｘなどの各種の人体に有害な化学物質が含まれていることが知られている。【０００３】  これらのＮＯｘおよびＳＯｘは、単に人体に有害であるだけでなく、酸性雨の原因ともなっている。更に、ＮＯｘと非メタン系炭化水素とが存在する状態で、太陽光による光化学反応が発生すると、光化学スモッグが発生する。この光化学スモッグは、大気中の炭化水素やＮＯｘが紫外線を吸収して光化学反応を起こし、有害物質である光化学オキシダントなどを生成する現象とされている。しかしながらＮＯｘ、特に自動車等の移動発生源に起因するＮＯｘについては対策が遅れており、深刻な問題となっている。【０００４】  現在、ＮＯｘの除去方法としては、カルボン酸やアルカリ液といった吸収液の中を通したり、特殊な機械の中を通すことにより、ＮＯｘを処理するという方法が知られている。しかしながら、それらの方法はいずれも手間や費用がかかるという問題があった。【０００５】  これに対し、ＮＯｘと結合しうる物質により、ＮＯｘを除去する方法も知られている。例えば、特許文献１には、α−テルピネン、ミルセン、アロオシメンなどの共役二重結合を有するテルペン化合物を、ガス状にして、空気中に散布することにより、空気中のＮＯｘをテルペン化合物中に包含させて、ＮＯｘを除去することを特徴とするＮＯｘの除去方法が報告されている。【０００６】  また、非特許文献１には、α−ピネン、ｄ−リモネン等のテルペン系化合物をガス状にして硫黄酸化物や窒素酸化物を吸収除去することも報告されている。【０００７】  しかし、上記特許文献１や非特許文献１に記載の化合物の、ＮＯｘやＳＯｘの除去効果は十分でなく、より高い除去能力を持った安全性の高い化合物を見出し、これを利用する除去剤の提供が待たれていた。
【先行技術文献】
【特許文献】
【０００８】
【特許文献１】特開平６−３２７９３４
【非特許文献】
【０００９】
【非特許文献１】「臭気の研究」、Ｖｏｌ.２２，Ｎｏ.５，ｐ２２−２９（１９９２）；西田耕之助、小橋俊文、大迫政浩、宍戸健一、樋口能士、樋口隆哉、植物層を利用したガス状汚染物質の除去に関する研究 第３報.
【発明の概要】
【発明が解決しようとする課題】
【００１０】  従って本発明の課題は、容易にかつ効率よくＮＯｘおよびＳＯｘを除去できる天然成分を見出し、これを利用する有害酸化物の除去剤を提供することである。
【課題を解決するための手段】
【００１１】  本発明者らは、各種天然化合物の有するＮＯｘおよびＳＯｘ除去効果について鋭意研究を行ったところ、ある特定の化合物が、非常に効率よく上記有害酸化物を除去しうることを見出し、本発明に至った。【００１２】  すなわち本発明は、テルピネン−４−オール、シトロネラール、ボルニルアセテート、カジネン、サビネン、α−テルピネオール、δ−３−カレン、テルピノレン、γ−テルピネン、１,４−シネオール及び１,８−シネオールから選ばれる化合物の１種若しくは２種以上の化合物を有効成分として含有する有害酸化物除去剤を提供するものである。【００１３】  また本発明は、上記有害酸化物除去剤を、有害酸化物を含有する大気と接触させることを特徴とする有害酸化物の除去方法を提供するものである。
【発明の効果】
【００１４】  本発明によれば、窒素酸化物、硫黄酸化物などの人体に有害な酸化物を効率よく除去することができる。
【図面の簡単な説明】
【００１５】
【図１】実施例９で用いた揮散装置を示す図面である。
【図２】実施例１０で用いた加圧空気霧化噴霧装置を示す図面である。
【図３】二酸化窒素の粒子径の分布
【図４】γーテルピネンヘッドスペース及びγーテルピネンヘッドスペースに二酸化窒素を混合した後の粒子径の分布
【発明を実施するための形態】
【００１６】  本発明の有害酸化物除去剤（以下、「除去剤」という）は、テルピネン−４−オール、シトロネラール、ボルニルアセテート、カジネン、サビネン、α−テルピネオール、δ−３−カレン、テルピノレン、γ−テルピネン、１,４−シネオールおよび１,８−シネオールから選ばれる１種若しくは２種以上の化合物（以下、「有効成分」ということがある）を含有するものであり、ＮＯｘやＳＯｘを有効に除去しうるものである。
【００１７】  上記有効成分は、それぞれ下記の化学構造式で示されるものである。【化１】
2010098438.tif 000002
（１）テルピネン−４−オール    （２）シトロネラール    （３）ボルニルアセテート    （４）カジネン    （５）サビネン    （６）α−テルピネオール    （７）δ−３−カレン    （８）テルピノレン    （９）γ−テルピネン    （10）１,４−シネオール    （11）１,８−シネオール
【００１８】  これら有効成分のうち、より好ましいものとしては、ボルニルアセテート、カジネン、サビネン、α−テルピネオール、δ−３−カレン、テルピノレン、γ−テルピネン、１,４−シネオールおよび１,８−シネオールが挙げられ、特に好ましいものとしては、δ−３−カレン、テルピノレン、γ−テルピネンおよび１,４−シネオールが挙げられる。
【００１９】  上記の本発明の除去剤の有効成分である化合物は、何れも公知の化合物であり、合成で、あるいは天然の植物等の精油から単離することにより入手することができるものである。また、上記化合物に代え、これを含有する精油を用いることも可能である。
【００２０】  本発明の除去剤は、上記有効成分をそのまま、あるいはこれを適当な担体と組み合わせることにより調製することができる。例えば、水、エタノール、イソプロピルアルコール、プロピルアルコール等のアルコール系溶剤、プロピレングリコール、エチレングリコール等のグリコール系溶剤、エチレングリコールモノメチルエーテル、プロピレングリコールモノメチルエーテル、プロピレンアルコールモノエチルエーテル、３−メトキシ−３−メチル−１−ブタノール等のグリコールエーテル系溶剤等の溶剤中に、上記有効成分を、０.０１質量％ないし９９質量％程度の濃度で溶解させることにより、本発明の除去剤を製造することができる。
【００２１】  また、本発明の除去剤の製造に当たって、水または水溶性溶剤に可溶化させて使用する場合は、必要により、界面活性剤、ハイドロトロープ剤等を使用することができる。
【００２２】  更に、本発明の除去剤には、本発明品の２種以上を混合して使用することもでき、またそれらに他の香料成分を配合することにより、調合香料ともなる除去剤を製造することも可能である。他の香料成分としては、例えば、ピネン、リモネン等の炭化水素系香料、リナロール、ゲラニオール、シトロネロール、メントール、ボルネオール、ベンジルアルコール、アニスアルコール、β−フェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ―ブチルラクトン、クマリン、シネオール等のラクトン系香料、オクチルアセテート、ベンジルアセテート、シンナミルアセテート、プロピオン酸ブチル、安息香酸メチル等のエステル系香料等が挙げられる。
【００２３】  このようにして得られる本発明の除去剤は、従来のＮＯｘ、ＳＯｘの除去に用いられる方法により使用することが可能である。例えば、本発明の除去剤を紙(パルプ)、不織布、樹脂シート、木材シート、木粉、樹脂ビーズ等で構成されたフィルターに含浸させ、このフィルター中に、ＮＯｘ、ＳＯｘを含む空気を通過させ、有効成分と接触させる方法や、ＮＯｘ、ＳＯｘを含む空気を、本発明の除去剤中でバブリングさせることにより有効成分と接触させる方法等により、大気中のＮＯｘ、ＳＯｘを除去することが可能である。
【００２４】  また、本発明の除去剤を大気と接触させ、大気中の有害酸化物を除去する方法の別の例としては、本発明の除去剤をそのままあるいは適当な揮散装置を用いて揮散させる方法や、ポンプスプレー、エアゾール、超音波振動子、加圧液噴霧スプレーまたは加圧空気霧化噴霧装置等の霧化装置を用い、霧化させた状態で揮散させる方法等が挙げられ、これらの方法により、通常の生活空間中から有害酸化物を除去させることが可能である。
【００２５】  本発明の除去剤の有効成分は、何れも香料の成分でもあり、人体への危険性もないものである。従って、これを生活空間の大気中に接触や噴霧した場合であっても、人間やその他の動植物に不快感や悪影響を及ぼすことがない。
【実施例】
【００２６】  次に実施例を挙げ、本発明を更に詳しく説明するが、本発明はこれら実施例に何ら制約されるものではない。【００２７】実  施  例  １（１）二酸化窒素の濃度低減性試験：  内径が５ｍｍΦのガラス管内に、紙製のウエス約０.１ｇを充填し、この紙製ウエスに下記表１に示す量の本発明の除去剤を含浸させた。このガラス管の一方の端を８.５ｐｐｍの二酸化窒素を入れたテドラーバックと連結し、他方の端を二酸化窒素用ガス検知管（ガステック社製）に連結した。ガス検知管の他方には、吸引用シリンジに接続した。【００２８】  この状態で、吸引用シリンジによりテドラーバック内の二酸化窒素を吸引し、ガラス管内で除去されなかった二酸化窒素濃度をガス検知管で測定した。なお、ブランクとしては、紙製のウエスに除去剤を含浸させないものを用い、以下の式により二酸化窒素除去効果を確認した。この結果を下記の表１に示す。【００２９】        除去率（％）＝ （Ｂ−Ａ）／ Ｂ × １００             Ａ：除去剤を通過させた後の二酸化窒素濃度             Ｂ：ブランクを通過させた後の二酸化窒素濃度【００３０】（２）二酸化硫黄の濃度低減性試験：  ８.５ｐｐｍの二酸化窒素を４.２ｐｐｍの二酸化硫黄にかえ、検知管として二酸化硫黄用ガス検知管（ガステック社製）を利用する以外は、上記（１）と同様にして試験を行った。二酸化窒素濃度を二酸化硫黄濃度に代えた上記式を用い、二酸化硫黄の除去効果を確認した。この結果も表１に示す。【００３１】  結  果：【表１】
2010098438.tif 000003
【００３２】実  施  例  ２  本発明の除去剤を用いて、気体状態における二酸化窒素の除去効果を、下記手順により確認した。【００３３】  まず、１Ｌのテドラーバック内にボンベ空気１Ｌと本発明の除去剤５０μＬを注入し、４０℃の恒温装置内に１０分以上放置し、精油のヘッドスペース（本発明ガス）を作成した。【００３４】  次いで、上記本発明ガスの全量を、２０Ｌのテドラーバッグ内に注入し、清浄空気にて２０Ｌになるまで満たした。これに二酸化窒素（６．２ｐｐｍ）を注入し、注入３分後、および３０分後の二酸化窒素濃度を検知管で測定し、二酸化窒素除去率（％）を算出した。結果を表２に示す。【００３５】
【表２】
2010098438.tif 000004
【００３６】実  施  例  ３  下記表３の処方で擬似ヒノキ精油を作成した。作成した擬似ヒノキ精油について、実施例１と同様に二酸化窒素、二酸化硫黄の除去効果を試験した。この結果を表４に示す。【００３７】
【表３】
2010098438.tif 000005
【００３８】
【表４】
2010098438.tif 000006
【００３９】実  施  例  ４  実施例３で作成した擬似ヒノキ精油を用いて、気体状態における二酸化窒素、二酸化硫黄の除去効果を、下記方法により確認した。【００４０】  まず、擬似ヒノキ精油１ｍｌを１Ｌのテドラーバックに注入し、４０℃の恒温装置内に５分以上放置し、精油のヘッドスペース（本発明ガス）を作成した。【００４１】  一方、８ｐｐｍの二酸化窒素ガスをガスタイトシリンジにて１００ｍｌ採取し、１０Ｌのテドラーバックに入れ、清浄空気９.９Ｌを加えて０.０８ｐｐｍ前後の二酸化窒素ガスを調製した。また、同様にして０.１ｐｐｍ前後の二酸化硫黄ガスを調製した（以下、これらのガスを「テストガス」と総称する）。【００４２】  上記の本発明ガス４００ｍｌと各テストガス１００ｍｌを１Ｌのテドラーバックに注入し、経時的に残存しているテストガスの濃度を大気汚染測定装置（堀場製作所製）で測定（測定ガス濃度）した。コントロールとして、サンプルガスの代わりに清浄空気を同量入れて残存テストガスの濃度を測定し、下記の式により除去率を測定した。この結果を表５に示す。【００４３】        除去率（％）＝ （Ｂ−Ａ）／ Ｂ × １００             Ａ：測定ガス濃度             Ｂ：コントロールガス濃度【００４４】
【表５】
2010098438.tif 000007
【００４５】実  施  例  ５      二酸化窒素とγ−テルピネンの反応による粒子の生成：  １Ｌのテドラーバッグ内にボンベ空気１Ｌとγ−テルピネン５０μＬを注入し、４０℃にて１０分間放置した。その後、２０Ｌのテドラーバッグ内に揮発したγ−テルピネンのヘッドスペースを全量注入し、清浄空気にて２０Ｌになるまで満たした。これに二酸化窒素(６．２ｐｐｍ)を注入し、注入３分後の粒子径をパーティクルカウンター（Ｗｉｄｅ−Ｒａｎｇｅ Ｐａｒｔｉｃｌｅ Ｓｐｅｃｔｒｏｍｅｔｅｒ）ＭＯＤＥＬ１０００ＸＰ：米国ＭＳＰ社製）を用いて測定した。なおブランクとして、二酸化窒素単独およびγ−テルピネン単独を注入したもの（二酸化窒素混合前のもの）を同様の方法により測定した。結果を図３及び図４に示す。【００４６】  以上の結果より、二酸化窒素単独および本発明の除去剤であるγ−テルピネン単独を注入したものについては３分経過後も大きな粒子の生成は確認できなかった。それと比較して、本発明の除去剤であるγ−テルピネンに二酸化窒素を注入したものは、３分経過後には大きな径の粒子の生成が確認できた。すなわち、本発明の除去剤であるγ−テルピネンは、気体状態で二酸化窒素と混合することにより速やかに径の大きな粒子を生成することで二酸化窒素の反応性を抑制しているものと考えられた。【００４７】  実  施  例  ６      二酸化窒素の酸化反応抑制確認試（１）：  リノール酸の過酸化物の生成の阻害率により、本発明の除去剤による二酸化窒素の酸化能抑制効果を以下の手順にて確認した。【００４８】  リノール酸１０％を含有するクロロホルム溶液を、直径約９ｃｍのシャーレに０．１ｍＬ滴下し、緩やかに回転させながら溶媒を揮散させて、シャーレ底面にリノール酸を均一に塗布した。１０Ｌのテドラーバッグの一角を切断して開口し、このシャーレを入れた後に開口部を熱シールした。このバッグを同様の操作にて４個用意した。【００４９】  一方、１Ｌのテドラーバッグに本発明の除去剤であるγ−テルピネンを５０μＬ注入し、ボンベ空気で満杯にして４０℃恒温槽に１０分放置して、γ−テルピネンのヘッドスペーステドラーバッグを作成した。γ−テルピネンヘッドスペース１Ｌを、上記で調製したリノール酸塗布シャーレの入ったバッグに注入し、ついで１００ｐｐｍの二酸化窒素をそれぞれ、１３５０ｍＬ、１５０ｍＬ、０ｍＬ加えた後、ボンベ空気で満杯に膨らませ４０℃の恒温槽内に放置した。【００５０】  ９０分経過後にシャーレを取り出し、シャーレ底面のリノール酸を、エタノール２．５ｍＬを用いてバイアル内に洗い込んだ。このエタノール溶液１６μＬを計り取って、７５％エタノール４ｍＬ、３０％チオシアン酸アンモニウム水溶液４１μＬ、さらに０．０２Ｍ塩化鉄(II)の３．５％塩酸溶液４１μＬを加えて充分に混合した。塩化鉄溶液を加えてから正確に３分後に、吸光度計にて赤色（５００ｎｍ）の吸光度を測定した。なお、コントロールとして、二酸化窒素のみを添加したものの吸光度及びブランクとして、二酸化窒素および本発明の除去剤を添加しないもの（空気のみ）で測定した吸光度を求め、以下の式により過酸化物量増減を評価した。結果を表６に示す。【００５１】                                        （Ａ２−Ａ０）      過酸���物生成阻害率（％）＝（１−  ――――――  ）×１００                                        （Ａ１−Ａ０））          Ａ０:ブランクの吸光度          Ａ１：二酸化窒素のみ（コントロール）の吸光度          Ａ２：本発明の除去剤を添加した場合の吸光度【００５２】
【表６】
2010098438.tif 000008
【００５３】  γ-テルピネンヘッドスペースを二酸化窒素に添加することでリノール酸の過酸化生成は阻害された。すなわち本発明の除去剤であるγ-テルピネンは二酸化窒素の酸化能を抑制していることが確認できた。【００５４】実  施  例  ７      二酸化窒素の酸化反応抑制確認試（２）：  本発明の除去剤と二酸化窒素を２４時間接触した場合の酸化能抑制効果を以下の手順にて確認した。【００５５】  １Ｌのテドラーバッグにγ−テルピネン５０μＬを注入した。このテドラーバッグを、ボンベ空気で満杯にして４０℃恒温槽に１０分放置し、γ−テルピネンのヘッドスペーステドラーバッグを作成した。次いで、γ−テルピネンのヘッドスペース１Ｌをそれぞれ１０Ｌのテドラーバッグに注入し、ついで１００ｐｐｍの二酸化窒素を１３５０ｍＬ加えた後、ボンベ空気で満杯に膨らませ４０℃の恒温槽内に２４時間放置した。【００５６】  一方、実施例６と同様の操作を行ってリノール酸を均一に塗布したシャーレを用意し、１０Ｌのテドラーバッグ内に入れ、開口部を熱シールしたものを用意した。このテドラーバッグに、２４時間前に調製したそれぞれの気体を注入し４０℃の恒温槽に放置した。９０分経過後にシャーレを取り出し、前試験の方法と同様の操作を行って、吸光度計にて赤色（５００ｎｍ）の吸光度を測定し、実施例６の式を用いて同様に過酸化物量増減を評価した。【００５７】  この結果、本発明の除去剤と二酸化窒素を混合後、２４時間経過した気体では、リノール酸の過酸化物生成は１００％阻害された。つまり、本発明の除去剤と二酸化窒素を２４時間混合した後においては、二酸化窒素の酸化能を完全に抑制していることがわかった。【００５８】実  施  例  ８  ジプロピレングリコール９０質量％にサビネン１０質量％を配合し、空間噴霧用有害酸化物除去剤を製造した。得られた空間噴霧用有害酸化物除去剤を超音波霧化装置（（株）ミクニ製）を用いて空間に噴霧し窒素酸化物や硫黄酸化物等の有害酸化物を除去した。【００５９】実  施  例  ９  ３−メトキシ−３−メチル−１−ブタノール５０質量％にサビネン５０質量％を配合し、空間噴霧用有害酸化物除去剤を製造した。この有害酸化物除去剤を加熱蒸散装置（エステー（株）社製消臭プラグ）を用いて空間に噴霧し、窒素酸化物や硫黄酸化物等の有害酸化物を除去した。【００６０】実  施  例  １０  サビネン２質量％を界面活性剤（ポリオキシエチレンアルキルエーテル）５質量％で水に可溶化させて、空間噴霧用有害酸化物除去剤を製造した。この有害酸化物除去剤を市販のポンプスプレーを用いて空間に噴霧し窒素酸化物や硫黄酸化物等の有害酸化物を除去した。【００６１】実  施  例  １１  サビネン０.１質量％を水９９.９質量％に分散させて、空間噴霧用有害酸化物除去剤を製造した。この有害酸化物除去剤を超音波霧化装置（エコーテック（株）製）を用いて空間に噴霧し窒素酸化物や硫黄酸化物等の有害酸化物を除去した。【００６２】実  施  例  １２  サビネン３.０ｇ、プロピレングリコール１０ｇおよび水８４ｇの混合物中に、ゲル化剤としてκ−カラギーナン３ｇを分散させ、約６０℃に加熱分散後、上面開放のカップ型容器に充填し、冷却固化してゲル状の空間揮散用有害酸化物除去剤を製造した。【００６３】  このものを、石油ストーブを使用する室内空間に設置し、揮散させたところ、約１ヶ月間、窒素酸化物、硫黄酸化物等の有害酸化物を除去した。【００６４】実  施  例  １３  サビネン２質量％を、界面活性剤（ポリオキシエチレンアルキルエーテル）５質量％で水に可溶化させて空間揮散有害酸化物除去剤を製造した。この有害酸化物除去剤を図１のような揮散装置中に充填し、石油ストーブを使用する室内空間に設置し、揮散させたところ、約３ヶ月間、窒素酸化物、硫黄酸化物等の有害酸化物を除去した。【００６５】実  施  例  １４  サビネン（精油）を、図２のような加圧空気霧化噴霧装置を用い、石油ストーブを使用している室内に５ｍｌ／分で８時間噴霧した。使用前に比べ８時間後のホルムアルデヒドや窒素酸化物、硫黄酸化物等の有害酸化物の濃度は低下した。
【産業上の利用可能性】
【００６６】  本発明の有害酸化物除去剤は、有害酸化物除去作用が高いと共に、その有効成分が天然由来のものであり、かつ、香料成分としても利用されているものであるため、安全性が高く、また使用感も良好なものである。【００６７】  従って、窒素酸化物や硫黄酸化物などの有害酸化物が存在する環境において、これらを除去するために有利に利用しうるものである。
【符号の説明】
【００６８】    １  …  …  揮散装置    ２  …  …  揮散体    ３  …  …  吸上芯    ４  …  …  容器    ５  …  …  除去剤  １０  …  …  加圧空気霧化噴霧装置  １１  …  …  気液混合噴霧ノズル  １２  …  …  ２液流量調整供給装置  １３  …  …  コンプレッサ  １４  …  …  精油  １５  …  …  水  １６  …  …  空気
【図１】
2010098438.tif 000009
【図２】
2010098438.tif 000010
【図３】
2010098438.tif 000011
【図４】
2010098438.tif 000012
【国際調査報告】
2010098438.tif 000013
2010098438.tif 000014